(57)【要約】【課題】  原水中のＴＯＣ、特に尿素を高度に分解することができる水処理方法を提供する。【解決手段】  １は図示しない原水貯槽から供給される原水Ｗの前処理システムであり、この前処理システム１で処理された原水Ｗは、生物処理手段３に供給される。そして、この生物処理手段３で処理された処理水Ｗ１は一次純水装置に供給される。生物処理手段３の前段には図示しないｐＨセンサと第一の供給機構５とが設けられていて、第一の供給機構５からアンモニア性の窒素源（ＮＨ３−Ｎ）及び硫酸が添加可能となっている。また、第一の供給機構５に併行して、酸化剤及び／又は殺菌剤を添加する第二の供給機構６が設けられている。このような構成により、生物処理手段３において硝化菌を優占種化する。【選択図】図１
2012196588.tif 000002
【特許請求の範囲】
【請求項１】
有機物を含有する原水を生物処理する水処理方法において、
前記生物処理が硝化菌を優占種化したものであることを特徴とする水処理方法。
【請求項２】
前記生物処理が、該生物処理におけるアンモニア性窒素（ＮＨ３−Ｎ）の減少濃度が、前記原水中の全有機炭素（ＴＯＣ）の減少濃度の１／５以上となるものであることを特徴とする請求項１に記載の水処理方法。
【請求項３】
前記生物処理が、該生物処理における亜硝酸性窒素（ＮＯ２−Ｎ）の生成濃度及び硝酸性窒素（ＮＯ３−Ｎ）の生成濃度の和が、前記原水中の全有機炭素（ＴＯＣ）の減少濃度の１／５以上となるものであることを特徴とする請求項１に記載の水処理方法。
【請求項４】
前記生物処理が、該生物処理における有機態窒素の減少濃度が、前記原水中の全有機炭素（ＴＯＣ）の減少濃度の１／５以上となるものであることを特徴とする請求項１に記載の水処理方法。
【請求項５】
前記生物処理の給水にアンモニア性の窒素源を添加することを特徴とする請求項１〜４のいずれかに記載の水処理方法。
【請求項６】
前記生物処理の給水をｐＨ５〜６．５に調整することを特徴とする請求項１〜４のいずれかに記載の水処理方法。
【請求項７】
前記生物処理の給水に塩素系の酸化剤及び／又は殺菌剤を添加することを特徴とする請求項１〜４のいずれかに記載の水処理方法。
【請求項８】
前記生物処理の給水のＴＯＣ濃度を低減することを特徴とする請求項１〜４のいずれかに記載の水処理方法。
【請求項９】
請求項１〜８のいずれかに記載の水処理方法で得られた処理水を一次純水装置及び二次純水装置で処理して超純水を製造することを特徴とする超純水製造方法。
【発明の詳細な説明】
【技術分野】
【０００１】
本発明は、市水、地下水、工水等の原水の水処理方法及びこの水処理方法で処理した処理水を用いた超純水製造方法に関し、特に原水中の尿素を高度に除去することができる水処理方法及びこの水処理方法で処理した処理水を用いた超純水製造方法に関する。
【背景技術】
【０００２】
従来、市水、地下水、工水等の原水から超純水を製造する超純水製造装置は、基本的に、前処理装置、一次純水製造装置及び二次純水製造装置から構成される。このうち、前処理装置は、凝集、浮上、濾過装置で構成される。一次純水製造装置は、例えば、２基の逆浸透膜分離装置及び混床式イオン交換装置、あるいはイオン交換純水装置及び逆浸透膜分離装置で構成される。また、二次純水製造装置は、例えば、低圧紫外線酸化装置、混床式イオン交換装置及び限外濾過膜分離装置で構成される。
【０００３】
このような超純水製造装置においては、その純度の向上への要求が高まってきており、これに伴いＴＯＣ成分の除去が求められている。超純水中のＴＯＣ成分のうち、特に尿素はその除去が困難であり、ＴＯＣ成分を低減すればするほど尿素の除去がＴＯＣ成分の含有率に与える影響が大きい。そこで、超純水製造装置に供給される水中から尿素を除去することにより、超純水中のＴＯＣを十分に低減することが特許文献１〜３に記載されている。
【０００４】
特許文献１には、前処理装置に生物処理装置を組み込み、この生物処理装置で尿素を分解することが開示されている。また、特許文献２には、前処理装置に生物処理装置を組み込み、被処理水（工業用水）と半導体洗浄回収水との混合水を通水し、この半導体洗浄回収水中に含有される有機物が生物処理反応の炭素源となり、尿素の分解速度を向上させることが開示されている。なお、この半導体洗浄回収水中にはアンモニウムイオン（ＮＨ４＋）が多量に含有されている場合があり、これが尿素と同様に窒素源となり、尿素の分解を阻害することがある。さらに、特許文献３には、特許文献２の上記問題点を解決するために、被処理水（工業用水）と半導体洗浄回収水とを別々に生物処理した後に混合し、一次純水製造装置及び二次純水製造装置に通水することが記載されている。
【先行技術文献】
【特許文献】
【０００５】
【特許文献１】特開平６−６３５９２号公報
【特許文献２】特開平６−２３３９９７号公報
【特許文献３】特開平７−３１３９９４号公報
【発明の概要】
【発明が解決しようとする課題】
【０００６】
しかしながら、特許文献１に記載の水処理方法のように、被処理水に炭素源を添加すると、生物処理装置での尿素分解除去効率は向上するものの、生物処理装置内の菌体の増殖量が大きくなり、当該生物処理装置からの菌体の流出量が増加する、という問題点がある。
【０００７】
また、特許文献２に記載の水処理方法のように炭素源を含有する水として、アンモニウムイオンの含有量の多い半導体洗浄回収水を用いると、アンモニウムイオンが尿素の分解を阻害する、という問題点がある。
【０００８】
本発明は、上記課題に鑑みてなされたものであり、原水中のＴＯＣ、特に尿素を高度に分解することができる水処理方法を提供することを目的とする。また、本発明は、この水処理方法を利用した超純水製造方法を提供することを目的とする。
【課題を解決するための手段】
【０００９】
上記課題を解決するために、第一に本発明は、有機物を含有する原水を生物処理する水処理方法において、前記生物処理が硝化菌を優占種化したものであることを特徴とする水処理方法を提供する（発明１）。
【００１０】
上記発明（発明１）によれば、尿素の除去には硝化菌群が関与しており、原水にアンモニア性の窒素源を添加することにより、硝化菌群（アンモニア酸化菌）がアンモニア性の窒素源を酸化して亜硝酸イオン（ＮＯ２−）とすることで、硝化菌群の活性を維持し、尿素を分解除去することができる。すなわち、特許文献２に記載された水処理方法では、硝化菌(独立栄養細菌)ではなく、ＢＯＤ資化細菌（従属栄養細菌）が有機物を分解・資化するに当たり、窒素源として尿素及び尿素誘導体を分解し、アンモニアとして摂取することで、尿素及び尿素誘導体を除去する処理機構であると推測される。これに対し、発明１では、硝化菌群がアンモニアを亜硝酸、硝酸に酸化する過程において、尿素及び尿素誘導体をアンモニア又は直接亜硝酸に酸化することで尿素及び尿素誘導体が除去される機構と考えられる。これにより、硝化菌群を優占種化させた生物処理の給水にアンモニア性の窒素源を添加する場合にも、尿素の分解の阻害とはならず、むしろ、これら硝化菌群の増殖。活性を高める要因となる。この結果、活性の高まった硝化菌群により、尿素及び尿素誘導体の分解。除去性能が向上すると推察される。
【００１１】
また、本発明者らは、硝化菌群を優占種化させた生物処理と、ＢＯＤ資化細菌が優占種化した生物処理との比較において、前者が、短時間でより低濃度まで尿素及び尿素誘導体を分解除去可能であることがわかった。このように尿素及び尿素誘導体の分解に寄与する菌種の詳細については定かではないが、硝化菌群の中でもアンモニア酸化細菌の一種が寄与していることは確認できており、硝化菌群のなかでも特にアンモニア酸化細菌を優占種化させた生物処理を行うことが好ましい。さらに、ＢＯＤ資化細菌が優占種化した生物処理では、尿素を分解除去するために相当量のＢＯＤ（生物化学的酸素要求量）が必要である。一般的にはＢＯＤ：窒素：リン＝１００：５：１の関係が知られており、尿素分の窒素に対して２０倍量のＢＯＤが必要となる。原水のＢＯＤが少ない場合、日標とする尿素除去量に応じたＢＯＤの添加が必要となり運転コストの増大に繋がる。さらに、ＢＯＤ資化細菌が大幅に増殖するため、生物処理水中への菌体流出量が増加、それに伴う後段処理への悪影響の発生や、生物処理からの汚泥量が増大するため好ましくない。これに対し、硝化菌群を優占種化させた生物処理では、尿素の分解除去するためにＢＯＤは必要なく、ＢＯＤ資化細菌の場合と比較して菌体増殖量は少ないため、生物処理水中への菌体流出量も少なく好適である。
【００１２】
上記発明（発明１）においては、前記生物処理が、該生物処理におけるアンモニア性窒素（ＮＨ３−Ｎ）の減少濃度が、前記原水中の全有機炭素（ＴＯＣ）の減少濃度の１／５以上となるものであるのが好ましい（発明２）。
【００１３】
上記発明（発明２）によれば、上述したように生物処理の原水にアンモニア性窒素が含まれる場合、または生物処理の原水にアンモニア性の窒素源を添加した場合には、硝化菌群を優占種化することができ、これにより生物処理におけるアンモニア性窒素の除去性能も高めることができる。この硝化菌群が優占種化した生物処理では、尿素及びアンモニア性窒素は分解されて減少し、亜硝酸又は硝酸が生成する。ＴＯＣは尿素及び有機態窒素の分解により、また一部存在するＢＯＤ資化細菌による有機物分解により減少するが、減少幅は微少となる。この結果、該生物処理におけるアンモニア性窒素（ＮＨ３−Ｎ）の減少濃度を前記原水中の全有機炭素（ＴＯＣ）の減少濃度の１／５以上とすることにより、より低濃度まで効率的に尿素及び尿素誘導体を分解・除去でき、ＴＯＣ濃度の低減された超純水を製造することができる。一方、資化細菌が優占種化した生物処理では、ＢＯＤ資化細菌が尿素を分解する場合、上述の通り、分解した尿素分の窒素に対して２０倍量のＢＯＤを資化する。ＢＯＤ（生物化学的酸素要求量）は、ＢＯＤ資化細菌が分解可能な有機物を分解する際に、必要(消費)とする酸素（Ｏ２）量を示すことから、分解された有機物の炭素（Ｃ）分が全て二酸化炭素(ＣＯ２)になるとすれば、ＢＯＤの減少と全有機炭素(ＴＯＣ)の減少とには相互関係があり、上述のＢＯＤ：Ｎの関係はＴＯＣ：Ｎの関係に置き換えることができ、ＴＯＣ：Ｎ＝７．５：５に相当する。すなわち、ＢＯＤ資化細菌が優占種化した生物処理においては、ＴＯＣの減少濃度がアンモニア性窒素（ＮＨ３−Ｎ）の減少濃度の７．５倍以上でないと、効率的な尿素除去を行うことができなくなると考えられる。
【００１４】
上記発明（発明１）においては、前記生物処理が、該生物処理における亜硝酸性窒素（ＮＯ２−Ｎ）の生成濃度及び硝酸性窒素（ＮＯ３−Ｎ）の生成濃度の和が、前記原水中の全有機炭素（ＴＯＣ）の減少濃度の１／５以上となるものであるのが好ましい（発明３）。
【００１５】
上記発明（発明３）によれば、硝化菌群が優占種化した生物処理では、尿素が分解されて亜硝酸又は硝酸が生成し、亜硝酸性窒素又は硝酸性窒素濃度が上昇する。また、原水中にアンモニア性窒素及び尿素以外の有機態窒素が含まれる場合には、これらの分解に起因した亜硝酸性窒素又は硝酸性窒素濃度が上昇する。ＴＯＣは尿素及び有機態窒素の分解により、また一部存在するＢＯＤ資化細菌による有機物分解により減少するが、減少幅は微少となる。そこで、前記生物処理の条件を該生物処理における亜硝酸性窒素（ＮＯ２−Ｎ）の生成濃度及び硝酸性窒素（ＮＯ３−Ｎ）の生成濃度の和が、前記原水中の全有機炭素（ＴＯＣ）の減少濃度の１／５以上とすることにより、硝化菌群の優占種化を達成することができ、より低濃度まで効率的に尿素及び尿素誘導体を分解・除去でき、ＴＯＣ濃度の低減された超純水を製造することができる。
【００１６】
上記発明（発明１）においては、前記生物処理が、該生物処理における有機態窒素の減少濃度が、前記原水中の全有機炭素（ＴＯＣ）の減少濃度の１／５以上となるものであるのが好ましい（発明４）。
【００１７】
上記発明（発明４）によれば、硝化菌群が優占種化した生物処理では、ＴＯＣの減少幅と比較して有機態窒素の減少幅は大きくなる。そこで、前記生物処理の条件を該生物処理における有機態窒素の減少濃度が、前記原水中の全有機炭素（ＴＯＣ）の減少濃度の１／５以上となるように制御することにより、より低濃度まで効率的に尿素及び尿素誘導体を分解・除去でき、ＴＯＣ濃度の低減された超純水を製造することができる。
【００１８】
上記発明（発明１〜４）においては、前記生物処理の給水にアンモニア性の窒素源を添加するのが好ましい（発明５）。
【００１９】
上記発明（発明５）によれば、硝化菌群の増殖・活性を高めることができ、これにより、活性の高まった硝化菌群により、尿素及び尿素誘導体の分解・除去性能が向上することができる。
【００２０】
上記発明（発明１〜５）においては、前記生物処理の給水をｐＨ５〜６．５に調整するのが好ましい（発明６）。
【００２１】
上記発明（発明６）によれば、尿素を分解・除去する硝化菌群は、基本的にはｐＨ中性域（ｐＨ＝７〜８）に最適値を有すると考えられる。したがって、ｐＨを５〜６．５に調整する場合には、アンモニア酸化活性と尿素分解活性とはいずれも低下する。しかしながら、アンモニア酸化活性の低下と尿素分解活性の低下とを比較すると、尿素分解活性の低下の方が少ない。さらにｐＨが５〜６．５の条件下においては、イオンの状態のアンモニアが増加し、硝化菌群に取り込まれるアンモニアの量が低下する。これらにより、硝化菌群により分解・除去される尿素が増加することとなるので、尿素濃度が変動するような場合にも硝化菌群の活性を維持することができ、尿素を効率的に分解・除去することができる。
【００２２】
上記発明（発明１〜６）においては、前記生物処理の給水に塩素系の酸化剤及び／又は殺菌剤を添加するのが好ましい（発明７）。
【００２３】
上記発明（発明７）によれば、生物処理の給水に塩素系の酸化剤及び／又は殺菌剤を添加することにより、尿素の分解・除去性能が向上することを確認している。このように生物処理の給水に塩素系の酸化剤及び／又は殺菌剤を添加することにより尿素の分解・除去性能が向上する機構の詳細は定かではないが、尿素分解を効率的に行う硝化菌群は、ＢＯＤ資化細菌を含む他の菌種と比較して、塩素系の酸化剤及び／又は殺菌剤に対する耐性が高いためと推察される。この結果、生物処理の給水に塩素系の酸化剤及び／又は殺菌剤を添加する場合、他の菌種が失活するなか、尿素分解に寄与する硝化菌群は活性を維持できるため、優占種化し尿素の分解・除去性能が向上するものと推察される。
【００２４】
上記発明（発明１〜７）においては、前記生物処理の給水のＴＯＣ濃度を低減するのが好ましい（発明８）。
【００２５】
上記発明（発明８）によれば、生物処理の原水の有機物（ＴＯＣ）濃度が高い場合、特に易生分解争性の有機物が高いときには、ＢＯＤ資化細菌（従属栄養細菌）の増殖・活性が高まるため、硝化菌群の増殖・活性が低下し、尿素分解効率が低下し、十分に尿素を低減できない場合がある。具体的には、ＢＯＤ資化細菌の増殖・活性が高まることにより、栄養源として添加する窒素源がＢＯＤ資化細菌に利用されてしまうこと、またその他の生物処理の給水に含まれるリンや微量金属（ミネラル成分など）等の栄養源もＢＯＤ資化細菌に利用されてしまうことなどにより、硝化菌群の増殖・活性が低下する。この対策として、生物処理の給水中の有機物を、特に易生分解性の有機物を事前に除去することが好ましい。事前に易生分解争性の有機物を除去することにより、生物処理においてＢＯＤ資化細菌の増殖・活性の高まりを抑制でき、尿素を分解除去する硝化菌群を主体とする生物処理を施すことができる。これにより高い尿素分解効率を得ることができる。また、ＢＯＤ資化細菌による栄養剤の消費も抑制されるので、より少ない栄養源で処理を行うことができる、という効果も奏する。
【００２６】
さらに、第二に本発明は、請求項１〜８のいずれかに記載の水処理方法で得られた処理水を一次純水装置及び二次純水装置で処理して超純水を製造することを特徴とする超純水製造方法を提供する（発明９）。
【００２７】
上記発明（発明９）によれば、１次純水装置及び２次純水装置の前段の生物処理（水処理）において、尿素が十分に分解除去されているため、高純度の超純水を効率よく製造することができる。特に、前記原水中の全有機炭素（ＴＯＣ）の減少濃度の１／５以上とすること、該生物処理における亜硝酸性窒素（ＮＯ２−Ｎ）の生成濃度及び硝酸性窒素（ＮＯ３）−Ｎ）の生成濃度の和が前記原水中の全有機炭素（ＴＯＣ）の減少濃度の１／５以上とすること、該生物処理における有機態窒素の減少濃度が、前記原水中の全有機炭素（ＴＯＣ）の減少濃度の１／５以上とすること、前記生物処理の給水にアンモニア性の窒素源を添加すること、のいずれかにより硝化菌群の増殖・活性を高めることができ、これにより、活性の高まった硝化菌群により、尿素及び尿素誘導体の分解・除去性能が向上することができる。
【発明の効果】
【００２８】
本発明の水処理方法によれば、生物処理において硝化菌を優占種化することにより、アンモニア性の窒素源を酸化して亜硝酸イオン（ＮＯ２−）とすることで、硝化菌群の活性を維持し、尿素を分解除去することができる。このとき、前記原水中の全有機炭素（ＴＯＣ）の減少濃度の１／５以上とすること、該生物処理における亜硝酸性窒素（ＮＯ２−Ｎ）の生成濃度及び硝酸性窒素（ＮＯ３−Ｎ）の生成濃度の和が前記原水中の全有機炭素（ＴＯＣ）の減少濃度の１／５以上とすること、該生物処理における有機態窒素の減少濃度が、前記原水中の全有機炭素（ＴＯＣ）の減少濃度の１／５以上とすること、などにより硝化菌群に消費される尿素が増加するので、尿素濃度が大きく変動しても硝化菌群の活性を維持することができ、尿素を効果的に分解・除去することができる。
【図面の簡単な説明】
【００２９】
【図１】本発明の一実施形態に係る水処理方法を示す系統図である。
【図２】本発明の一実施形態に係る水処理方法を利用した超純水製造方法を示す系統図である。
【発明を実施するための形態】
【００３０】
以下、添付図面を参照して本発明の実施形態について説明する。図１は、本発明の第一の実施形態に係る水処理方法を示す概略図である。
【００３１】
図１において、１は図示しない原水貯槽から供給される原水Ｗの前処理システムであり、この前処理システム１で処理された原水Ｗは、熱交換器２で所定の温度に温度調整した後、生物処理手段３に供給される。そして、この生物処理手段３は、菌体分離装置４に連続していて、これらの各種装置で処理された後、処理水Ｗ１として一次純水装置に供給される。
【００３２】
上述したような装置構成において、生物処理手段３の前段には図示しないｐＨセンサと第一の供給機構５とが設けられていて、第一の供給機構５から栄養源としてのアンモニア性の窒素源（ＮＨ３−Ｎ）及びｐＨ調整剤としての硫酸が添加可能となっている。また、第一の供給機構５に併行して、酸化剤及び／又は殺菌剤を添加する第二の供給機構６が設けられている。さらに、生物処理手段３の後段には還元剤及び／又はスライムコントロール剤を供給する第三の供給機構７が設けられている。なお、８は原水Ｗ等を送給する配管である。
【００３３】
上述したような構成の生物処理装置において、処理対象となる原水Ｗとしては、地下水、河川水、市水、その他の工業用水、半導体製造工程からの回収水等を用いることができる。原水（処理対象水）Ｗ中の尿素濃度は、５〜２００μｇ／Ｌ、特に５〜１００μｇ／Ｌ程度が好適である。
【００３４】
また、前処理システム１としては、超純水の製造工程における一般的な前処理システム又はこれと同様の処理が好適である。具体的には、凝集・加圧浮上・濾過等からなる処理システムを用いることができる。また、前記生物処理手段３の給水のＴＯＣ（易分解性の有機物）の濃度を事前に低減することを目的として、生物処理手段を用いて生物処理手段を２段構成としてもよい。さらに、逆浸透膜処理装置やイオン交換処理装置等を用いてもよい。特に、尿素はイオン性を持たないことから、逆浸透膜処理やイオン交換処理での除去率も低い一方、尿素以外の有機物（ＴＯＣ成分）は逆浸透膜処理やイオン交換処理によりある程度除去可能であるので、逆浸透膜処理装置やイオン交換処理装置を前処理システム１に採用することにより、生物処理手段３において、除去対象成分を尿素に絞り込んだ処理が可能となり好ましい。
【００３５】
生物処理手段３は、下水等の廃水中の汚濁物質を生物学的作用により分解、安定化させる処理を行う手段であり、好気性処理と嫌気性処理とに区別される。一般的に有機物は、生物処理により酸素呼吸・硝酸呼吸・発酵過程等で分解されて、ガス化されるか、微生物の体内に取り込まれ、汚泥として除去される。また、窒素（硝化脱窒法）やりん（生物学的リン除去法）の除去処理もできる。このような生物処理を行う手段を一般に生物反応槽という。このような生物処理手段３としては、特に制限はないが、生物担持担体の固定床を有するものが好ましい。特に、菌体の流出が少ない下向流方式の固定床が好ましい。
【００３６】
生物処理手段３を固定床とする場合、固定床を必要に応じて洗浄するのが好ましい。これにより、生物（菌体）の増殖による固定床の閉塞、マッドボール化、尿素の分解除去効率の低下等が生じることが防止される。この洗浄方法には特に制限はなく、例えば逆洗、すなわち、原水の通水方向と逆方向に洗浄水を通水して担体を流動化させ、堆積物の系外への排出、マッドボールの粉砕、生物の一部の剥離等を行うようにするのが好ましい。
【００３７】
また、固定床の担体の種類に特に制限はなく、活性炭、アンスラサイト、砂、ゼオライト、イオン交換樹脂、プラスチック製成形品等が用いられるが、酸化剤の存在下で生物処理を実施するためには、酸化剤の消費量の少ない担体を用いるのが好ましい。ただし、生物処理手段に高濃度の酸化剤流入する可能性がある場合には、酸化剤を分解し得る活性炭等の担体を用いるのが好ましい。このように活性炭等を用いた場合、被処理水中の酸化剤の濃度が高い場合であっても、菌体が失活、死滅することが防止される。
【００３８】
生物処理手段３への通水速度は、ＳＶ５〜５０ｈｒ−１程度とするのが好ましい。この生物処理手段３への給水の水温は常温、例えば１０〜３５℃であることが好ましい。したがって、必要に応じて生物処理手段の前段に熱交換機を設けるのが好ましい。
【００３９】
この生物処理手段３に第一の供給機構５から添加される栄養源としてのアンモニア性の窒素源としては、特に制限はなく、有機性、無機性いずれのアンモニア性窒素源も好適に用いることができる。これらの中では添加したアンモニア性窒素源が処理しきれずに生物処理水に残留した場合にも、後段の処理において除去が容易であることから、イオン性を有するアンモニア性の窒素源である塩化アンモニウム、硫酸アンモニウムなどのアンモニウム塩が好ましい。
【００４０】
なお、本発明の目的は尿素除去であり、より尿素除去性に優れた菌体を獲得・保持することが好ましく、この観点からアンモニア性の窒素源として、尿素および尿素誘導体を添加しても良い。ただし、尿素および尿素誘導体の一部は、イオン性がないため、後段の処理での除去が期待できないので、多量に添加した場合には、生物処理および後段処理でも除去できず末端まで残留してしまう可能性が高い。したがって、尿素および尿素誘導体を添加する場合には、添加濃度は最小限とし、アンモニウム塩等でアンモニア性の窒素源としての必要量を補完する方法が好ましい。
【００４１】
また、この生物処理手段３に第二の供給機構６から添加される酸化剤及び／又は殺菌剤のうち、酸化剤としては、次亜塩素酸ナトリウム、二酸化塩素等の塩素系酸化剤などを用いることができる。さらに、殺菌剤としては、例えば、塩素系酸化剤とスルファミン酸化合物とからなる結合塩素剤（クロラミンより安定性が高い結合塩素剤）、過酸化水素などを用いることができる。
【００４２】
さらに、生物処理手段３の後段において第三の供給機構７から添加される還元剤及び／又はスライムコントロール剤のうち、還元剤としては、例えば、水素ガスなどの気体、二酸化硫黄などの低級酸化物、チオ硫酸塩、亜硫酸塩、重亜硫酸塩、亜硝酸塩などの低級酸素酸塩、鉄（II）塩などの低原子価金属塩、ギ酸、シュウ酸、Ｌ−アスコルビン酸などの有機酸又はその塩、ヒドラジン、アルデヒド類、糖類などを用いることができ、亜硫酸ナトリウム、重亜硫酸ナトリウムなどが好ましい。
【００４３】
また、スライムコントロール剤としては、前述した酸化剤と同じものを用いることができ、後述するＲＯ膜処理、イオン交換処理などで酸化劣化などによる悪影響を及ぼさない殺菌剤が好ましく、具体的には、塩素系酸化剤とスルファミン酸化合物とからなる結合塩素剤（クロラミンより安定性が高い結合塩素剤）、過酸化水素などが好ましい。
【００４４】
さらに、生物処理手段３の処理水から菌体の流出が認められる場合には、本実施形態のように菌体分離装置４を設けるのが望ましい。この菌体分離装置４は、生物処理手段３の処理水中に含まれる菌体（生物担体より剥離してしまった菌体）により引き起こされる一次純水装置などの後段処理での障害（配管の詰まり、差圧上昇といったスライム障害、ＲＯ膜のバイオファウリングなど）の回避を目的に必要に応じて設けられるものであり、具体的には、膜ろ過（孔径０．１〜１０μｍ程度のカートリッジフィルタを用いた膜ろ過処理）、限外ろ過膜処理、凝集ろ過などを用いることができる。
【００４５】
これら還元剤、スライムコントロール剤、及び菌体分離装置４は、必ずしも必要ではなく、状況に応じていずれか１以上を適宜設けることができるものである。
【００４６】
次に上述したような構成の装置及び添加剤等を用いた水処理方法について説明する。
【００４７】
まず、原水Ｗを前処理システム１に供給して、原水Ｗ中の濁質成分を除去することにより、該濁質成分により後段の生物処理手段３での有機物の分解除去効率が低下するのを抑制するとともに、生物処理手段３の圧力損失の増加を抑制する。
【００４８】
そして、熱交換器２により、この前処理した原水Ｗを該原水Ｗの水温が低い場合には加温し、高い場合には冷却して所定の水温となるように、必要に応じ温度調節を実施する。すなわち、原水Ｗの水温が高いほど反応速度が高まり分解効率が向上する。一方、水温が高い場合には、生物処理手段の処理槽や配管８等に耐熱性を持たせる必要が生じ、設備コストの増大に繋がる。また、原水Ｗの水温が低い場合には、加温コストの増大につながる。具体的には、生物反応は水温が４０℃以下であれば、基本的には水温が高いほど生物活性および除去速度は向上する。しかしながら、水温が４０℃を超えると、逆に生物活性および除去効率は低下する傾向を示すことがある。以上の理由より、処理水温は２０〜４０℃程度が好ましい。したがって、原水Ｗの初期の温度が上記範囲内であれば、何もしなくてもよい。
【００４９】
このようにして、必要に応じ温度調整を行った原水Ｗを生物処理手段３に供給するが、このとき第一の供給機構５から生物処理手段３にアンモニア性の窒素源（ＮＨ３−Ｎ）を添加するとともにｐＨ調整剤としての硫酸を添加して原水ＷのｐＨを５〜６．５に調整する。
【００５０】
ここで、アンモニア性の窒素源（ＮＨ３−Ｎ）の添加量は、０．１〜５ｍｇ／Ｌ（ＮＨ４＋換算）とすればよい。原水Ｗ中のアンモニウムイオン濃度が０．１ｍｇ／Ｌ（ＮＨ４＋換算）未満では、硝化菌群の活性を維持するのが困難となる一方、５ｍｇ／Ｌ（ＮＨ４＋）を超えても、さらなる硝化菌群の活性が得られないばかりか、生物処理手段３からのリーク量が多くなりすぎるため好ましくない。このように生物処理手段３の前段でアンモニア性の窒素源を添加することにより、生物処理手段３における硝化菌群の増殖・活性を高めることができる。この結果、活性の高まった硝化菌群により、尿素及び尿素誘導体の分解・除去性能が向上することができる。
【００５１】
また、このとき原水ＷにｐＨ調整剤としての硫酸を添加してｐＨを５〜６．５に調整する理由は、以下のとおりである。すなわち、尿素分解能を有する硝化菌群（アンモニア酸化菌）は、尿素とアンモニアの両方を資化でき、環境条件により優先的に利用する基質は変化する。例えば、高ｐＨやアンモニア／尿素比が高い場合、優先的にアンモニアを利用し尿素分解能はかえって低下する。そこで、原水ＷのｐＨを５〜６．５に調整することにより、中性域に最適値をもつ硝化菌群は、アンモニア酸化活性と尿素分解活性のいずれも至適ｐＨに比べ低下するが、アンモニア酸化活性の低下よりも尿素分解活性の低下の方が少ない。さらに、イオンの状態のアンモニアが増加し、アンモニア酸化菌に取り込まれるアンモニアの量が低下する。これらにより硝化菌群により分解される尿素が増加する。これらの作用により、尿素濃度が大きく変動しても硝化菌群の活性を維持することができ、尿素を効果的に分解・除去することができる。なお、ｐＨの下限については、原水ＷのｐＨを５未満にすると、硝化菌群の活性が低下する。
【００５２】
また、原水Ｗに第二の供給機構６から酸化剤及び殺菌剤を添加する。酸化剤の添加量は、使用する酸化剤の種類によって異なるが、例えば、塩素系酸化剤を用いる場合、生物処理手段３の段階で残留する全残留塩素濃度で０．２〜１ｍｇ／Ｌとなるようにするのが好ましい。あるいは、各種処理後に一次純水装置へ供給される処理水Ｗ１中に残留する全残留塩素濃度で０．０２〜０．１ｍｇ／Ｌとなるようにするのが好ましい。なお、殺菌剤は、生物処理手段３の処理水Ｗ１中に含まれる菌体により引き起こされる後段処理での障害（配管の詰まり、差圧上昇といったスライム障害、ＲＯ膜のバイオファウリングなど）の回避を目的に必要に応じて適宜添加すればよい。
【００５３】
続いて、このような処理を施した原水Ｗを給水として生物処理手段３に供給し、処理した原水Ｗに対して、第三の供給機構７から還元剤及び／又はスライムコントロール剤を供給する。
【００５４】
具体的には、生物処理の給水中に遊離塩素が存在し、アンモニア性の窒素源としてアンモニウム塩等を添加する場合、遊離塩素とアンモニウムイオンとが反応し結合塩素（クロラミン）が生成する。結合塩素は遊離塩素と比較して活性炭でも除去し難い成分であり、生物処理水に結合塩素がリークすることとなる。結合塩素は遊離塩素と比較して酸化力は低い成分と言われているが、平衡反応により結合塩素から再度遊離塩素が生成することも知られており、後段の一次純水処理システム等での酸化劣化を引き起こす可能性がある。還元剤の添加量は、例えば、還元剤が亜硫酸ナトリウムである場合、亜硫酸イオン（ＳＯ３２−）と次亜塩素酸イオン（ＣｌＯ−）とが等モル以上となるように添加すればよく、安全性を考慮して１．２〜３．０倍量添加すればよい。処理水の酸化剤濃度には変動があることから、より好ましくは、処理水の酸化剤濃度を監視し、酸化剤濃度に応じて還元剤量を制御することが好ましい。また、簡易的には、定期的に酸化剤濃度を測定し、測定濃度に応じた添加量を適宜設定する方法を用いてもよい。なお、酸化剤濃度の検出手段としては酸化還元電位（ＯＲＰ）が、また残留塩素に関しては残留塩素計（ポーラログラフ法等）が挙げられる。
【００５５】
また、スライムコントロール剤は、生物処理手段３の処理水中に含まれる菌体（生物担体より剥離してしまった菌体）により引き起こされる後段処理での障害（配管の詰まり、差圧上昇といったスライム障害、ＲＯ膜のバイオファウリングなど）の回避を目的に必要に応じて適宜添加すればよい。
【００５６】
さらに、必要に応じて菌体分離装置４により、生物処理手段３の処理水中に含まれる菌体を除去する。
【００５７】
これら還元剤及び／又はスライムコントロール剤の添加や菌体分離装置４による処理は、生物処理手段３からの生物処理水の水質に応じて、１又は２以上を適宜行えばよく、水質が良好であれば行わなくてもよい。
【００５８】
このような本実施形態の水処理方法においては、生物処理手段３において硝化菌が優占種化することにより、尿素を高度に除去した処理水Ｗ１を得ることができるものである。特に、生物処理手段３を原水Ｗと比較してアンモニア性窒素（ＮＨ３−Ｎ）の減少濃度が、前記原水Ｗ中の全有機炭素（ＴＯＣ）の減少濃度の１／５以上となるように制御するのが好ましい。すなわち、条件Ａ：（生物処理手段３において減少するＮＨ３−Ｎ濃度）＞（生物処理手段３で減少するＴＯＣ濃度）／５、の関係が成立するように生物処理手段３を制御するのが好ましい。
【００５９】
これは以下のような理由による。すなわち、本実施形態のように生物処理手段３の前段で原水Ｗにアンモニア性窒素を添加することにより、硝化菌群を優占種化することができ、これにより生物処理におけるアンモニア性窒素の除去性能も高めることができる。この硝化菌群が優占種化した生物処理手段３では、原水Ｗ中の尿素及びアンモニア性窒素は分解されて減少し、亜硝酸又は硝酸が生成する。尿素及び有機態窒素の分解により、また一部存在するＢＯＤ資化細菌による有機物分解によりＴＯＣも減少するが、減少幅は微少となる。そこで、生物処理手段３におけるアンモニア性窒素（ＮＨ３−Ｎ）の減少濃度を前記原水中の全有機炭素（ＴＯＣ）の減少濃度の１／５以上とすることにより、より低濃度まで効率的に尿素及び尿素誘導体を分解・除去でき、ＴＯＣ濃度の低減された超純水を製造することができる。
【００６０】
また、生物処理手段３を、原水Ｗに対する処理水Ｗ１の亜硝酸性窒素（ＮＯ２−Ｎ）の生成濃度及び硝酸性窒素（ＮＯ３−Ｎ）の生成濃度の和が、該原水Ｗ中の全有機炭素（ＴＯＣ）の減少濃度の１／５以上となるように制御するのが好ましい。すなわち、条件Ｂ：（生物処理手段３において生成する（ＮＯ２−Ｎ）の濃度）＋（生物処理手段３において生成する（ＮＯ３）−Ｎ）の濃度）＞（生物処理手段３で減少するＴＯＣ濃度）／５、の関係が成立するように生物処理手段３を制御するのが好ましい。
【００６１】
これは以下のような理由による。すなわち、本実施形態のように生物処理手段３の前段で原水Ｗにアンモニア性窒素を添加することにより、硝化菌群が優占種化した生物処理手段３では、尿素が分解されて亜硝酸又は硝酸が生成し、亜硝酸性窒素又は硝酸性窒素濃度が上昇する。また、原水Ｗ中にアンモニア性窒素及び尿素以外の有機態窒素が含まれる場合には、これらの分解に起因した亜硝酸性窒素又は硝酸性窒素濃度が上昇する。ＴＯＣは尿素及び有機態窒素の分解により、また一部存在するＢＯＤ資化細菌による有機物分解により減少するが、減少幅は微少となる。そこで、前記生物処理の条件を該生物処理における亜硝酸性窒素（ＮＯ２−Ｎ）の生成濃度及び硝酸性窒素（ＮＯ３−Ｎ）の生成濃度の和が、前記原水中の全有機炭素（ＴＯＣ）の減少濃度の１／５以上とすることにより、硝化菌群の優占種化を達成することができ、より低濃度まで効率的に尿素及び尿素誘導体を分解・除去でき、ＴＯＣ濃度の低減された超純水を製造することができる。
【００６２】
さらに、生物処理手段３を、原水Ｗに対する処理水Ｗ１の有機態窒素の減少濃度が、前記原水Ｗ中の全有機炭素（ＴＯＣ）の減少濃度の１／５以上となるように制御するのが好ましい。すなわち、条件Ｃ：（生物処理手段３において減少する有機態窒素濃度）＞（生物処理手段３で減少するＴＯＣ濃度）／５、の関係が成立するように生物処理手段３を制御するのが好ましい。
【００６３】
これは以下のような理由による。すなわち、本実施形態のように生物処理手段３の前段で原水Ｗにアンモニア性窒素を添加することにより、硝化菌群が優占種化した生物処理手段３では、ＴＯＣの減少幅と比較して有機態窒素の減少幅は大きくなる。そこで、前記生物処理の条件を有機物を含有する原水を生物処理する水処理方法において、前記生物処理が、該生物処理における有機態窒素の減少濃度が、前記原水中の全有機炭素（ＴＯＣ）の減少濃度の１／５以上とすることにより、より低濃度まで効率的に尿素及び尿素誘導体を分解・除去でき、ＴＯＣ濃度の低減された超純水を製造することができる。
【００６４】
次に、本発明の一実施形態に係る水処理方法を利用した超純水製造方法について、図２を参照して説明する。本実施形態における超純水製造方法では、原水Ｗを、前述した生物処理装置３を備えた水処理装置２１で処理した後、処理水Ｗ１を一次純水装置２２及びサブシステム（二次純水装置）２３を備えた純水製造装置でさらに処理する。
【００６５】
一次純水装置２２は、第１の逆浸透膜（ＲＯ）分離装置２４と、混床式イオン交換装置２５と、第２の逆浸透膜（ＲＯ）分離装置２６とをこの順に配置してなる。ただし、この一次純水装置２２の装置構成はこのような構成に制限されるものではなく、例えば、逆浸透膜分離装置、イオン交換処理装置、電気脱イオン交換処理装置、ＵＶ酸化処理装置等を適宜組み合わせて構成されていてもよい。
【００６６】
サブシステム２３は、サブタンク２７と、熱交換器２８と、低圧紫外線酸化装置２９と、膜脱気装置３０と、混床式イオン交換装置３１と、限外濾過膜装置（微粒子除去）３２とをこの順に配置してなる。ただし、このサブシステム２３の装置構成はこのような構成に制限されるものではなく、例えば、ＵＶ酸化処理装置、イオン交換処理装置（非再生式）、ＵＦ膜分離装置等を組み合わせて構成されていてもよい。
【００６７】
このような超純水製造システムによる超純水製造方法を以下に説明する。まず、水処理装置２１で処理した処理水Ｗ１を一次純水装置２２で、第１の逆浸透膜（ＲＯ）分離装置２４と、混床式イオン交換装置２５と、第２の逆浸透膜（ＲＯ）分離装置２６とにより、処理水Ｗ１中に残存するイオン成分等を除去する。
【００６８】
さらに、サブシステム２３では、一次純水装置２２の処理水をサブタンク２７及び熱交換器２８を経て低圧紫外線酸化装置２９に導入し、含有されるＴＯＣ成分をイオン化又は分解する。さらに膜脱気装置３０で、酸素や炭酸ガスを除去し、続いてイオン化された有機物を後段の混床式イオン交換装置３１で除去する。この混床式イオン交換装置３１の処理水は更に限外濾過膜装置（微粒子除去）３２で膜分離処理され、超純水を得ることができる。
【００６９】
上述したような超純水製造方法によると、生物処理手段３において、尿素を十分に分解除去し、その後段の一次純水装置２２及びサブシステム２３でその他のＴＯＣ成分、金属イオン、その他の無機・有機イオン成分を除去することにより、高純度の超純水を効率よく製造することができる。
【００７０】
以上、本発明について添付図面を参照して説明してきたが、本発明は前記実施形態に限定されず、種々の変形実施が可能である。例えば、生物処理手段３は、通常の生物処理装置としてもよく、また、栄養源は、アンモニア性の窒素源に限らず、それ以外の窒素源を添加してもよく、場合によっては、易分解性有機物を添加してもよい。
【実施例】
【００７１】
以下の実施例により本発明をさらに詳細に説明する。
【００７２】
〔実施例１〕
模擬原水Ｗとして、市水（野木町水：平均尿素濃度１０μｇ／Ｌ、平均ＴＯＣ濃度０．８ｍｇ／Ｌ（ａｓＣ）、アンモニウムイオン濃度０．１ｍｇ／Ｌ未満（ａｓＮ）、亜硝酸性窒素濃度０．０３ｍｇ／Ｌ未満（ａｓＮ）、平均硝酸性窒素濃度１．８ｍｇ／Ｌ（ａｓＮ）、平均遊離残留塩素濃度０．３ｎｇ／Ｌ（ａｓＣｌ２）、平均全残留塩素濃度０．９ｍｇ／Ｌ（ａｓＣｌ２）に試薬尿素(キシダ化学社製)を必要に応じ適量添加したものを用いた。
【００７３】
試験期間中市水の水温は２０℃以下であったため、熱交換器２により水温約２０℃に調整を実施した。また、市水のpHは６．８〜７．３であったが、ｐＨ調整剤としての硫酸の添加は実施しなかった。
【００７４】
図１に示す構成の装置において、生物処理手段３は、生物担体としての粒状活性炭（「クリコール  ＷＧ１６０、１０／３２メッシュ」、栗田工業社製）を円筒容器に２Ｌ充填して固定床としたものを用いた。なお、生物処理手段３の粒状活性炭は、新炭を洗浄後、硝化汚泥２００ｍＬを添加した市水２Ｌに浸漬することで充填し、その後通水を開始した。
【００７５】
このような生物処理装置において、試薬尿素を添加して尿素濃度約１００μｇ／Ｌに調整した模擬原水Ｗに第一の供給機構５からアンモニア性の窒素源として塩化アンモニウム（キシダ化学社製）を添加し、アンモニア性窒素濃度を約０．５ｍｇ／Ｌ（ａｓＮ）に調整した。
【００７６】
この原水（給水）Ｗを生物処理手段３に下向流にて通水した。通水速度ＳＶは２０／ｈｒ（毎時通水流量÷充填活性炭量）とした。なお、上記通水処理においては、１日１回、１０分間の逆洗を実施した。逆洗は、生物処理水にて、円筒容器下部から上部の上向流にて、ＬＶ＝２５ｍ／ｈｒ（毎時通水流量÷円筒容器断面積）にて実施した。
【００７７】
上述したような通水条件において、原水Ｗの連続通水を実施したところ、処理水Ｗ１の尿素濃度は徐々に低下する傾向が認められ、通水開始から３週間後には、処理水Ｗ１の尿素濃度は２μｇ／Ｌ未満となった。
【００７８】
尿素濃度の分析の手順は以下の通りである。すなわち、まず、検水の全残留塩素濃度をＤＰＤ法にて測定し、相当量の重亜硫酸ナトリウムで還元処理する（その後、ＤＰＤ法にて全残留塩素を測定して、０．０２ｍｇ／Ｌ未満であることを確認する。）。次に、この還元処理した検水をイオン交換樹脂（「ＫＲ−ＵＭ１」、栗田工業社製）にＳＶ５０／ｈｒで通水し、脱イオン処理してロータリーエバポレータにて１０〜１００倍に濃縮した後、ジアセチルモノオキシム法にて尿素濃度を定量する。
【００７９】
このような連続運転において、給水（原水Ｗ）の尿素濃度、ＴＯＣ濃度及びアンモニア性窒素濃度と、処理水Ｗ１の尿素濃度、ＴＯＣ濃度及びアンモニア性窒素濃度を測定した結果を表１に示す。
【００８０】
表１から明らかなとおり、処理水Ｗ１のＴＯＣ濃度は０．６ｍｇ／Ｌ（ａｓＣ）であり、アンモニア性窒素濃度は０．１ｍｇ／Ｌ（ａｓＮ）未満であった。すなわち、生物処理手段３で減少したアンモニア性窒素の濃度は（０．５−＜０．１）＝＞０．４ｍｇ／Ｌ（ａｓＮ）であり、同様に減少したＴＯＣ濃度は、（０．８−０．６）＝０．２ｍｇ／Ｌ（ａｓＣ）であり、条件Ａ：（生物処理手段３において減少するＮＨ３−Ｎ濃度）＞（生物処理手段３で減少するＴＯＣ濃度）／５が成立する運転条件であった。
【００８１】
〔比較例１〕
実施例１において、模擬原水Ｗに第一の供給機構５から塩化アンモニウムを添加しなかった給水を生物処理手段３に供給した以外は同様にて処理を行い、通水開始から３週間後の処理水Ｗ１の尿素濃度、ＴＯＣ濃度及びアンモニア性窒素濃度を測定した結果を表１にあわせて示す。
【００８２】
表１から明らかなとおり、処理水Ｗ１の尿素濃度は６７μｇ／Ｌであり、ＴＯＣ濃度は０．４ｍｇ／Ｌ（ａｓＣ）であり、アンモニア性窒素濃度は０．１ｍｇ／Ｌ（ａｓＮ）未満であった。すなわち、生物処理手段３で減少したアンモニア性窒素の濃度は（＜０．１−＜０．１）≒０ｍｇ／Ｌ（ａｓＮ）であり、同様に減少したＴＯＣ濃度は、（０．８−０．４）＝０．４ｍｇ／Ｌ（ａｓＣ）であり、前述した条件Ａの関係を満たす運転条件ではなかった。
【００８３】
〔比較例２〕
比較例１において、３週間経過後から模擬原水Ｗに第一の供給機構５から塩化アンモニウムを実施例１と同じ条件で添加を開始し、２日間経過後の処理水Ｗ１の尿素濃度、ＴＯＣ濃度及びアンモニア性窒素濃度を測定した結果を表１にあわせて示す。
【００８４】
表１から明らかなとおり、処理水Ｗ１の尿素濃度は７０μｇ／Ｌであり、ＴＯＣ濃度は０．４ｍｇ／Ｌ（ａｓＣ）であり、アンモニア性窒素濃度は０．３ｍｇ／Ｌ（ａｓＮ）であった。すなわち、生物処理手段３で減少したアンモニア性窒素の濃度は（０．４−０．３）＝０．１ｍｇ／Ｌ（ａｓＮ）であり、同様に減少したＴＯＣ濃度は、（０．９−０．４）＝０．５ｍｇ／Ｌ（ａｓＣ）であり、前述した条件Ａの関係を満たす運転条件ではなかった。
【００８５】
【表１】
2012196588.tif 000003
【００８６】
上記実施例１及び比較例１、２から明らかなとおり、条件Ａを満たす実施例１の運転条件では、処理水Ｗ１の尿素濃度を２μｇ／Ｌ未満と尿素濃度を低く維持することができた。これに対し、条件Ａを満たさない比較例１、２では処理水Ｗ１の尿素濃度はそれぞれ６７μｇ／Ｌ、７０μｇ／Ｌであり、尿素濃度を十分に低減することができなかった。
【００８７】
続いて、実施例１及び比較例２の通水を停止し、充填していた生物担体である粒状活性炭を抜き出して固定床の下部２／３を採取し、粒状活性炭に付着している菌体数を定量ＰＣＲで分析、推定した。結果を表２に示す。なお、粒状活性炭の固定床の下部２／３を採取したのは、固定床の上側は模擬原水Ｗに含まれている残留塩素に晒されるため菌体が付着していない可能性が高いためである。
【００８８】
【表２】
2012196588.tif 000004
【００８９】
表２から明らかな通り、実施例１においては、粒状活性炭に付着していた全菌数のうち、約２％がアンモニア酸化細菌であった。これに対し、比較例２においては、粒状活性炭に付着していた全菌数のうち、アンモニア酸化細菌は約０．４％にすぎなかった。この結果から、実施例１では、尿素を効率的に分解する硝化菌群（アンモニア酸化細菌）が優占種化しており、尿素を効率的に分解・除去する硝化菌群を優占種化することで、十分な尿素分解性能を維持できるのに対し、比較例２では、これらの硝化菌群が優占種化していないため、十分な尿素除去性能が得られないと考えられる。
【００９０】
〔実施例２〕
実施例１において、模擬原水Ｗに試薬尿素添加し、尿素濃度約１ｍｇ／Ｌに調整し、前処理システム１で前処理した後、第一の供給機構５からアンモニア性の窒素源として塩化アンモニウム（キシダ化学社製）を添加し、アンモニア性窒素濃度を約１．０ｍｇ／Ｌ（ａｓＮ）に調整した以外は同様にして処理を行った。
【００９１】
上述したような通水条件において、原水Ｗの連続通水を実施したところ、通水開始から約１ケ月後、処理水Ｗ１の尿素濃度は２μｇ／Ｌ未満となった。この時点で塩化アンモニウムの添加を停止し、さらに２週間、連続通水を継続した。
【００９２】
このような連続運転において、給水（原水Ｗ）及び処理水Ｗ１の尿素濃度、ＴＯＣ濃度、アンモニア性窒素濃度、亜硝酸性窒素濃度、硝酸性窒素濃度及び有機態窒素の濃度をそれぞれ測定した。結果を表３に示す。
【００９３】
表３から明らかなとおり、処理水Ｗ１のＴＯＣ濃度は０．５ｍｇ／Ｌ（ａｓＣ）であり、亜硝酸性窒素濃度は０．０３ｍｇ／Ｌ（ａｓＮ）未満であり、硝酸性窒素濃度は２．６ｍｇ／Ｌ（ａｓＮ）であり、有機態窒素濃度は０．１ｍｇ／Ｌ（ａｓＮ）未満であった。すなわち、生物処理手段３で生成した亜硝酸性窒素濃度と硝酸性窒素濃度との和は、亜硝酸性窒素濃度は変化がなかったので、（２．６−２．０）＝０．６ｍｇ／Ｌ（ａｓＮ）であり、同様に減少したＴＯＣ濃度は、（１．１−０．５）＝０．６ｍｇ／Ｌ（ａｓＣ）であり、条件Ｂ：（生物処理手段３において生成する（ＮＯ２−Ｎ）の濃度）＋（生物処理手段３において生成する（ＮＯ３−Ｎ）の濃度）＞（生物処理手段３で減少するＴＯＣ濃度）／５が成立する運転条件であった。
【００９４】
〔比較例３〕
実施例１において、模擬原水Ｗに第一の供給機構５から塩化アンモニウムを添加しなかった以外は同様にて処理を行った。通水開始から約１．５ケ月後の処理水Ｗ１の尿素濃度、ＴＯＣ濃度、アンモニア性窒素濃度、亜硝酸性窒素濃度、硝酸性窒素濃度及び有機態窒素の濃度をそれぞれ測定した。結果を表３にあわせて示す。
【００９５】
表３から明らかなとおり、処理水Ｗ１の尿素濃度は８００μｇ／Ｌであり、ＴＯＣ濃度は０．４ｍｇ／Ｌ（ａｓＣ）であり、亜硝酸性窒素濃度は０．０３ｍｇ／Ｌ（ａｓＮ）未満であり、硝酸性窒素濃度は２．１ｍｇ／Ｌ（ａｓＮ）であり、有機態窒素濃度は０．５ｍｇ／Ｌ（ａｓＮ）であった。すなわち、生物処理手段３で生成した亜硝酸性窒素濃度と硝酸性窒素濃度との和は、亜硝酸性窒素濃度は変化がなかったので、（２．１−２．０）＝０．１ｍｇ／Ｌ（ａｓＮ）であり、同様に減少したＴＯＣ濃度は、（１．１−０．４）＝０．７ｍｇ／Ｌ（ａｓＣ）であり、前述した条件Ｂの関係を満たす運転条件ではなかった。
【００９６】
【表３】
2012196588.tif 000005
【００９７】
上記実施例２及び比較例３から明らかなとおり、条件Ｂを満たす実施例１の運転条件では、処理水Ｗ１の尿素濃度を２μｇ／Ｌ未満に低く維持することができた。これに対し、条件Ｂを満たさない比較例３では処理水Ｗ１の尿素濃度は８００μｇ／Ｌであり、尿素濃度をあまり低減することができなかった。
【００９８】
〔実施例３〕
市水に試薬尿素(キシダ化学社製)及び塩化アンモニウムを添加して、尿素濃度約５０μｇ／Ｌ、アンモニア性窒素濃度約０．４ｍｇ／Ｌ（ａｓＮ）に調整し、表４に示す平均尿素濃度、平均ＴＯＣ濃度、アンモニウムイオン濃度、平均遊離残留塩素濃度及び平均全残留塩素濃度の模擬原水Ｗを用意した。
【００９９】
試験期間中市水の水温は２０℃以下であつたため、熱交換器２により水温約２０℃に調整を実施した。また、市水のpHは６．８〜７．３であったが、ｐＨ調整剤としての硫酸の添加は実施しなかった。
【０１００】
この模擬原水Ｗをカーボナー（「ＣＦ２５」、栗田工業社製）に通水し、残留塩素を除去したものを給水として、実施例１と同じ生物処理手段３に下向流にて通水した。通水速度ＳＶは２０／ｈｒ（毎時通水流量÷充填活性炭量）とした。なお、上記通水処理においては、１日１回、１０分間の逆洗を実施した。逆洗は、生物処理水にて、円筒容器下部から上部の上向流にて、ＬＶ＝２５ｍ／ｈｒ（毎時通水流量÷円筒容器断面積）にて実施した。
【０１０１】
上述したような通水条件において、原水Ｗの連続通水を実施したところ、通水開始時の処理水Ｗ１の尿素濃度、ＴＯＣ濃度、アンモニア性窒素濃度、平均遊離残留塩素濃度及び平均全残留塩素濃度は表４に示すとおりであった。
【０１０２】
表４から明らかなとおり通水開始時には、生物処理手段３で減少したアンモニア性窒素濃度は（０．４−＜０．１）＝＞０．３ｍｇ／Ｌ（ａｓＮ）であり、同様に減少したＴＯＣ濃度は、（１．１−０．５）＝０．６ｍｇ／Ｌ（ａｓＣ）であり、条件Ａ：（生物処理手段３において減少するＮＨ３−Ｎ濃度）＞（生物処理手段３で減少するＴＯＣ濃度）／５
の関係が成立する運転条件であった。
【０１０３】
その後、連続通水の継続に伴い、生物処理水の尿素濃度は上昇傾向を示し、併せてアンモニア性窒素濃度も上昇し、尿素除去性能及びアンモニア性窒素除去性能の低下が認められた。
【０１０４】
さらに、原水Ｗの連続通水を２週間実施した。２週間経過時の原水Ｗ及び処理水Ｗ１の尿素濃度、ＴＯＣ濃度、アンモニア性窒素濃度、平均遊離残留塩素濃度及び平均全残留塩素濃度は表４に示すとおりであった。
【０１０５】
表４から明らかなとおり２週間経過した時点では、処理水Ｗ１の尿素濃度は２２μｇ／Ｌであり、ＴＯＣ濃度は０．５ｍｇ／Ｌ（ａｓＣ）であり、アンモニア性窒素濃度は０．３ｍｇ／Ｌ（ａｓＮ）未満であった。したがって、生物処理手段３で減少したアンモニア性窒素濃度は（０．４−０．３）＝０．１ｍｇ／Ｌ（ａｓＮ）であり、同様に減少したＴＯＣ濃度は、（１．１−０．５）＝０．６ｍｇ／Ｌ（ａｓＣ）であり、前述した条件Ａの関係を満たす運転条件ではなくなっていた。
【０１０６】
〔実施例４〕
実施例３において、通水開始から２週間経過後、カーボナーで処理した原水に次亜塩素酸ナトリウム(商品名:サンラック、工業用12%次亜塩素酸ナトリウム、本町化学工業社製)を添加し、遊離残留塩素濃度を約０．３ｍｇ／Ｌ（ａｓＣｌ２）、全残留塩素濃度を約１．０ｍｇ／Ｌ（ａｓＣｌ２）に調整し、通水を継続した.
【０１０７】
次亜塩素酸ナトリウムの添加開始後、生物処理水の尿素濃度、アンモニア性窒素濃度は緩やかな低下傾向を示し、尿素除去性能及びアンモニア性窒素除去性能の向上が認められた。
【０１０８】
通水開始から５週間後（次亜塩素酸ナトリウムの添加開始から３週間後）の原水Ｗ及び処理水Ｗ１の尿素濃度、ＴＯＣ濃度、アンモニア性窒素濃度、平均遊離残留塩素濃度及び平均全残留塩素濃度は表４に示すとおりであった。
【０１０９】
表４から明らかなとおり５週間経過した時点では、処理水Ｗ１の尿素濃度は２μｇ／Ｌ未満、ＴＯＣ濃度は０．５ｍｇ／Ｌ（ａｓＣ）、及びアンモニア性窒素濃度は０．１ｍｇ／Ｌ（ａｓＮ）未満であった。したがって、生物処理手段３で減少したアンモニア性窒素濃度は（０．５−＜０．１）＝＞０．４ｍｇ／Ｌ（ａｓＮ）であり、同様に減少したＴＯＣ濃度は、（１．０−０．５）＝０．５ｍｇ／Ｌ（ａｓＣ）であり、前述した条件Ａの関係を満たす運転条件に復帰していた。
【０１１０】
【表４】
2012196588.tif 000006
【０１１１】
上記実施例３及び実施例４から明らかなとおり、条件Ａを満たす実施例４の運転条件では、処理水Ｗ１の尿素濃度を５週間経過後でも２μｇ／Ｌ未満と低く維持することができた。これに対し、実施例３では初期状態では尿素濃度が２μｇ／Ｌ未満であったが、条件Ａを満たさない場合には、２週間で処理水Ｗ１の尿素濃度は２２μｇ／Ｌとなり、尿素濃度を十分に低減することができなかった。
【０１１２】
これは実施例４では、生物処理の給水に次亜塩素酸ナトリウム(酸化剤)を添加することにより、ＢＯＤ資化細菌の増殖・活性の高まりを抑制でき、尿素を効率的に分解・除去し、酸化剤に対し若千の耐性を有する硝化菌群を優占種化できたのに対し、実施例３では酸化剤がないため、ＢＯＤ資化細菌の増殖・活性が高まることにより、時間の経過とともに尿素除去効率の高い硝化菌群の失活に繋がり、尿素除去性能が低下したと考えられる。
【０１１３】
〔実施例５〕
市水に試薬尿素及び酢酸ナトリウムを添加して、尿素濃度約５０μｇ／Ｌ、ＴＯＣ濃度約２０ｍｇ／Ｌ（ａｓＣ）に調整して原水Ｗとした。
【０１１４】
試験期間中市水の水温は２０℃以下であつたため、熱交換器２により水温約２０℃に調整を実施した。また、市水のpHは６．８〜７．３であったが、ｐＨ調整剤としての硫酸の添加は実施しなかった。
【０１１５】
この原水Ｗをカーボナー（「ＣＦ２５」、栗田工業社製）に通水し、残留塩素を除去し、さらに逆浸透膜（「ＥＳ２０−Ｄ４」（日東電工社製)で処理して、尿素濃度４１μｇ／Ｌ、ＴＯＣ濃度９０μｇ／Ｌ（ａｓＣ），及び有機態窒素濃度４０μｇ／Ｌ（ａｓＮ）の給水を得た。この給水を実施例１と同じ生物処理手段３に下向流にて通水した。通水速度ＳＶは２０／ｈｒ（毎時通水流量÷充填活性炭量）とした。なお、上記通水処理においては、１日１回、１０分間の逆洗を実施した。逆洗は、生物処理水にて、円筒容器下部から上部の上向流にて、ＬＶ＝２５ｍ／ｈｒ（毎時通水流量÷円筒容器断面積）にて実施した。
【０１１６】
上述したような通水条件において、原水Ｗの連続通水を実施し、通水開始から２週間後の処理水Ｗ１の尿素濃度、ＴＯＣ濃度及び有機態窒素濃度を測定した結果を給水の尿素濃度、ＴＯＣ濃度及び有機態窒素濃度とともに表５に示す。
【０１１７】
表５から明らかなとおり２週間経過した時点での尿素濃度は２μｇ／Ｌ未満であり、ＴＯＣ濃度は７０μｇ／Ｌ（ａｓＣ）であり、有機態窒素濃度１０μｇ／Ｌ（ａｓＮ）であった。したがって、生物処理手段３で減少した有機態窒素濃度は（４０−１０）＝３０μｇ／Ｌ（ａｓＮ）であり、同様に減少したＴＯＣ濃度は、（９０−７０）＝２０μｇ／Ｌ（ａｓＣ）であり、前述した条件Ｃを満たす運転条件であった。
【０１１８】
〔比較例４〕
実施例４において、原水Ｗに逆浸透膜による処理を行わず、尿素濃度５２μｇ／Ｌ、ＴＯＣ濃度１８００μｇ／Ｌ（ａｓＣ）及び有機態窒素濃度１１０μｇ／Ｌ（ａｓＮ）の給水を処理した以外同様に処理を行った。通水開始から２週間後の処理水Ｗ１の尿素濃度、ＴＯＣ濃度及び有機態窒素濃度を測定した結果を給水の尿素濃度、ＴＯＣ濃度及び有機態窒素濃度とともに表５に示す。
【０１１９】
表５から明らかなとおり２週間経過した時点での尿素濃度は３７μｇ／Ｌ未満であり、ＴＯＣ濃度は５００μｇ／Ｌ（ａｓＣ）であり、有機態窒素濃度６０μｇ／Ｌ（ａｓＮ）であった。したがって、生物処理手段３で減少した有機態窒素濃度は（１１０−６０）＝５０μｇ／Ｌ（ａｓＮ）であり、同様に減少したＴＯＣ濃度は、（１８００−５００）＝１３００μｇ／Ｌ（ａｓＣ）であり、前述した条件Ｃを満たさない運転条件であった。
【０１２０】
【表５】
2012196588.tif 000007
【０１２１】
表５から明らかなように条件Ｃを満たす実施例５の運転条件においては、生物処理水の尿素濃度２μｇ／Ｌ未満と尿素濃度を低く維持することができた。これに対し、条件Ｃを満たさない比較例４においては処理水の尿素濃度３７μ g/Lであり、尿素濃度を十分に低減できないことが確認できた。
【０１２２】
これは実施例４では、逆浸透膜処理で原水Ｗの易生分解性の有機物を除去したものを生物処理手段３の給水とすることにより、ＢＯＤ資化細菌の増殖・活性の高まりを抑制でき、尿素を効率的に分解・除去できる硝化菌群を優占種化できたのに対し、比較例５では給水中に易生分解性の有機物が多く含まれているために、ＢＯＤ資化細菌の増殖・活性が高まることにより、尿素除去効率の高い硝化菌群を優占種化することができず、尿素除去性能が低下したと考えられる。
【符号の説明】
【０１２３】
１…前処理システム
３…生物処理手段
５…第一の供給機構
６…第二の供給機構
２１…水処理装置
２２…一次純水装置
２３…サブシステム（二次純水装置）
Ｗ…原水
Ｗ１…処理水
【図１】
2012196588.tif 000008
【図２】
2012196588.tif 000009